(57)【特許請求の範囲】
【請求項１】
革もしくは人工合成革材からなる本底と、本底に設置されるクッション性のある中物と、靴内部の前記中物の上に設置される中敷と、アッパーと、からなる靴において、
靴の屈曲性を保ちながら履き心地を良くするため、
前記本底は、靴底の外周に沿って一定の位置にリブが立設されるように、靴底の外周に沿って一定の幅を残して前記中物の高さと同じ高さに中央部分を削る事によって嵌合凹部を削設するとともに、その残余部分を靴底の外周の端部から一定幅で切削することで靴底の外周に沿って内側の一定の位置にリブを立設形成し、
前記中物は前記嵌合凹部と同形状に形成し、
前記アッパーは、本底側端部が内側に折り込まれた折込部を有しており、
前記中物を前記嵌合凹部に嵌装するとともに、前記アッパーの前記折込部を縫糸によって立設する前記リブに縫い付けてアッパーを本底に固定し、
更に、前記本底の踵部に、本底の略半分の長さからなり板状の芯が靴の長手方向に沿って設置された中底を嵌装することを特徴とする靴。
【発明の詳細な説明】
【技術分野】
【０００１】
本発明は、革もしくは人工合成革材を本底とする靴に関し、特に、クッション性のある厚幅の中物を本底に嵌装することにより、靴の柔軟性と屈曲性を保ちながらかつある程度の厚みを持たせて履き心地を良くする事を可能とした靴に関する。
【背景技術】
【０００２】
従来より、様々な、靴の製法が考案され、幅広く用いられている。特に、旧来からある製法としては、グッドイヤー・ウェルト製法や、マッケイ製法や、ラバー製法（セメント式）などの製法が存在しており、靴の形状や用途に応じて様々な製造方法が選択され使用されている。
【０００３】
グッドイヤー・ウェルト製法とは、中底に貼り付けられたリブにアッパーとライニングとウェルト（細革）を縫い付けた上で、ウェルトと本底（ソール）と縫合する製法である。また、マッケイ製法とは、アッパーと本底を専用ミシン（マッケイミシン）で直接縫い付ける製法である。ラバー製法（セメント式）とは、アッパーと本底をグッドイヤー・ウェルト製法等のように縫い付けることはせず、接着剤で接着する製法である。これらは何れも、古くから広く利用されている製法であり、それぞれ一長一短があるため、短所を改善した様々な靴を製造するための方法および技術が開発されている。
【０００４】
例えば、特開２０１１−２３５０６６号公報では、靴の構造に関する技術として、クッション材を充填する十分なスペースを中抜きした本底に、甲革（アッパー）を、釣り込んだ中底の外周に沿って直接的に縫着した後、クッション材を本底の中抜きに充填し、さらに、本底と他の本底を共通する外周に沿って縫着することにより底付けする靴底の構造が開示されている。この技術により、マッケイ式製法の屈曲性・デザイン性とグッドイヤー・ウェルト式製法の耐久性・クッション性を兼ね備えた靴の生産が可能となる旨が示唆されている。
【０００５】
この製法によれば、屈曲性とクッション性を兼備する靴の生産が可能となるとされている。しかしながら、この技術によると、クッション材を充填する層と接地する層が別の革で構成されることとなり、両者を確実に接合しないと、隙間から靴内に浸水する虞があった。また、靴を構成する部材の種類が多くなるため、製作するのに必要なコストが必ずしも低減できるとは言えなかった。
【０００６】
また、特開２０１４−１７６７３１号公報では、様々な人の足裏の形状の違いに合わせた履き心地の良い靴に関する技術として、靴底と、靴底側端部が内側に部分的に折り込まれたアッパーと、靴内に配置されるクッションとからなるプラットフォーム構造を有する靴であって、クッションが靴内底上に着脱自在に配置される技術が開示されている。この技術によると、プラットフォーム構造の靴の特長を備えつつ、プラットフォーム構造を分解することなくクッション材の取り付け、取り外しが可能となり、様々な人の足裏の凹凸形状に合わせた履き心地の良い靴を、提供することが可能となる旨が示唆されている。
【０００７】
しかし、この技術によると、靴を構成する部材の種類が増えるとともに、構造が複雑になるという問題があり、更に屈曲性の観点から、充分な柔軟性を確保する事が難しいという問題点があった。
【０００８】
革もしくは人工合成革材を本底とする靴は、生産直後は革が堅いため歩きにくく靴擦れを起こしやすいという問題点がある。そこで、革が馴染む前であっても柔軟性があり、靴の屈曲性を保ちつつ履き心地を良くした靴の開発が望まれていた。
【特許文献１】特開２０１１−２３５０６６号公報
【特許文献２】特開２０１４−１７６７３１号公報
【発明の開示】
【発明が解決しようとする課題】
【０００９】
本発明は、上記問題を解決するために、革もしくは人工合成革材を本底とする靴であって、特に、クッション性のある厚幅層からなる中物を本底に嵌装して柔軟性を確保した、靴の柔軟性と屈曲性を保ちながら履き心地を良い靴を提供する。
【課題を解決するための手段】
【００１０】
上記の目的を達成するために本発明に係る靴は、革もしくは人工合成革材からなる本底と、本底に設置されるクッション性のある中物と、アッパーと、からなる靴であって、靴の屈曲性を保ちながら履き心地を良くするため、前記本底は、靴底の外周に沿って一定の位置にリブが立設されるように中央に嵌合凹部を削設するとともに、前記中物は前記嵌合凹部と同形状に形成し、前記中物を前記嵌合凹部に嵌装するとともに、前記アッパーの周縁を縫糸によって前記リブに縫い付けてアッパーを本底に固定する構成である。
【００１１】
また、前記靴は、靴内部の中物の上に中敷を設置した構成である。
また、前記アッパーは、本底側端部が内側に折り込まれた折込部を有しており、該折込部と立設する前記リブとを縫い付けて前記本底に前記アッパーを固定する構成である。
【００１２】
また、前記嵌合凹部は、前記中物の高さと同じ高さとなるように削設する構成である。
また、前記靴は、前記本底の踵部に、本底の略半分の長さからなる中底を嵌装する構成である。
更に、前記中底は、板状の芯を靴の長手方向に沿って設置した構成でもある。
【発明の効果】
【００１３】
本発明は、上記詳述した通りの構成であるので、以下のような効果がある。
１．本底の中央に嵌合凹部を削設したため、本底の柔軟性が確保され、全体の屈曲性が保たれた靴を構成することができる。また、嵌合凹部の削設に伴ってリブが本底の外周に沿って立設した構造となるため、アッパーと本底を縫合する部位を容易に形成することが可能となる。また、嵌合凹部にクッション性のある中物を嵌装する構成としたため、ある程度厚みのある履き心地の良い靴を提供することが可能となる。
２．中物に上に中敷を設置したため、中物のずれや変形を抑制するとともに、履き心地を向上することが可能となる。
【００１４】
３．アッパーの本底側端部に折込部を設けたため、本底とアッパーの接合部を綺麗に仕上げることが可能となる。
４．嵌合凹部を中物の高さと同じ高さとなるように削設したため、中物と本底が一体的な構成となる。
【００１５】
５．本底の踵部に、本底の略半分の長さの中底を嵌装したため、踵の高いハイヒールであっても、履き心地を確保することが可能となる。
６．中底に板状の芯を設けたため、中底の変形を防止することが可能となる。
【発明を実施するための最良の形態】
【００１６】
以下、本発明に係る靴を、図面に示す実施例に基づいて詳細に説明する。図１は、本発明に係る靴の断面図であり、図２は、グッドイヤー・ウェルト製法による靴の断面図である。図３は、バレーシューズの断面図であり、図４は、中底を挿入した本底の斜視図である。
本発明の靴１は、本底１０と、中物２０と、アッパー３０と、縫糸６０とからなり、屈曲性と履き心地の良さを兼ね備えた靴である。
【００１７】
本底１０は、靴の底部分の部材である。地面等に直接接する部材であるため、充分な剛性が要求されるとともに、歩く際の負荷を軽減するため、本実施例では、その材質として革もしくは人工合成革材を使用している。なお、本底１０は、本実施例のような革や人工合成革材に限らず、剛性と柔軟性を有する強化ゴムなど他の材質を用いる事も可能である。
【００１８】
中物２０は、本底１０の中に設置されるクッション性のある部材である。本実施例では、中物２０の材質として、ゴムや軟性ウレタンフォーム、フェルト等を使用しているが、これに限定されることはなく、靴の用途に応じて適宜選択して使用することが可能である。また、アッパー３０は、靴１の甲の部分であり、本実施例では、図１に示すように、靴１の表面となる表革３２と、靴１の内壁となる裏革３４とで構成されている。アッパー３０を、中物２０の設置された本底１０に縫い合わせる事により、靴１が形成される構成である。
【００１９】
図４に示すように、本底１０の中央には、嵌合凹部５０が設けられている。嵌合凹部５０は、本底１０に削設される凹状の窪みであり、本実施例では、図１に示すように、靴底の外周に沿って一定の幅を残し、中央部分を削る事で嵌合凹部５０を形成している。また、本実施例では、靴底の外周の端部から一定幅で更に切削することで、靴底の外周に沿って内側の一定の位置にリブ４０が立設した形で残存する構成となっている。
【００２０】
中物２０は、削設された嵌合凹部５０と同じ形状となるように形成されている。これにより、中物２０を嵌合凹部５０に嵌装することが可能となる。本実施例では、嵌合凹部５０は、本底１０を靴底の外周に沿って一定幅を残して内側を削ることによって形成されるため、中物２０を嵌入する凹みを容易に形成できる。また、厚みのある本底１０に凹みを削設するため、靴底が柔らかくなり、靴の屈曲性を確保することが可能となる。
【００２１】
中物２０は、嵌合凹部５０に嵌装することにより靴内部で安定するため、歩行時等にずれる心配がなくなる。また、クッション性のある部材であるため、靴の履き心地が良くなる。
【００２２】
アッパー３０は、本底１０を削ることによって形成されたリブ４０に縫糸６０によってその周縁が縫い付けられることによって本底１０と堅固に固定する構成である。リブ４０は、図１に示すように、垂直に立設されている。この垂直に立設されたリブ４０の外側からアッパー３０の端部を縫糸６０によって縫い付けることで、本底１０とアッパー３０とが縫合され固定される構成である。この構造とすることにより、本底１０とアッパー３０との縫合が容易となる。
【００２３】
例えば、従来のグッドイヤー・ウェルト製法によると、図２に示すように、本底１１０と中敷１７０の間に中物１２０を挟み込んだ上で、ウェルト１４０とアッパー１３０と中敷１７０とをすくい縫い糸１６０で縫合し、更にウェルト１４０と本底１１０とを出し縫い糸１６２で縫合することで靴１００が製造される。この製法では、本底が厚みを持ったままであるため、靴の屈曲性を確保することが困難という問題点があった。また、中物１２０をクッション性の高いものにすると、靴底の厚みが増すため、靴の屈曲性を確保するとともに履き心地を良くするのは困難であった。これは、セメント式製法やマッケイ製法でも同様であった。
【００２４】
また、バレーシューズの製法によると、図３に示すように、靴２００は、本底２１０とアッパー２３０とを縫糸２６０で直接縫合するため、本底に厚みを持たせる事が困難であるとともに、中敷２７０の挿入は可能であるが、中物まで挿入する構造は難しいため、靴の屈曲性を確保できても履き心地の向上が困難という問題点があった。また、バレーシューズとしての独特の構造であるため、汎用性に欠ける所があった。
【００２５】
本発明に係る靴１は、本底１０に削設した嵌合凹部５０に中物２０を嵌装する構成であるため、上記問題点が解消し、靴の屈曲性の確保と履き心地の向上、更には汎用性の確保も同時に実現可能となった。
【００２６】
靴１は、図１に示すように、靴１内部であって中物２０の上に中敷７０を設置する構成とすることが可能である。この構成とすることにより、中物２０のずれや剥離・脱落を防止することが可能となるとともに、履き易さが向上し、さらにすっきりしたインナーデザインとすることが可能となる。
【００２７】
アッパー３０は、図１に示すように、本底１０側の端部が内側に折り込んだ折込部３６を有する構成とすることが可能である。本実施例では、本底１０とアッパー３０との縫合はリブ４０を介して行う構成であり、折込部３６と立設するリブ４０とを縫い付けて本底１０とアッパー３０とを固定することで、本底１０とアッパー３０の接合部分を綺麗に仕上げることが可能になるとともに、接合部分の強度が増すため、頑丈な靴１を構成することが可能となる。
【００２８】
嵌合凹部５０は、本実施例では、図１に示すように、中物２０の高さと同じ高さとなるように削設した構成である。この構成とすることにより中物２０の上面とリブ４０の先端が面一となるため、本底１０と中物２０とが一体的な構成となるとともに、靴１を履いた際に靴内に凹凸を感じるなどの不快感を感じることがなく、履き心地の良い靴１を提供することが可能となる。
【００２９】
本発明に係る靴１の別の実施例として、図４に示すように、本底１０の踵部１１に、本底１０の略半分の長さからなる中底８０を嵌装する構成とすることが可能である。中底８０は、本実施例では、本底１０に接着した後、マッケイ縫いによって固定している。この構成とすることにより、靴の踵にヒールを取り付けた場合、段差が生じて本底１０が垂れ下がることを防ぐことが可能となり、本発明に係る靴１を踵の高いハイヒールに適用した場合であっても、履き心地を確保することが可能となる。
【００３０】
中底８０は、図４に示すように、板状の芯８２を靴１の長手方向に沿って設置する構成である。この構成とすることにより、中底８０の変形を防止することが可能となり、頑丈で変形し難く、長持ちする靴１を構成することが可能となる。中底８０は、本実施例では、本底１０と同じ革もしくは人工合成革材を使用しているが、これに限定されることはなく、適度な強度を有する素材であれば適宜選択可能である。また、芯８２は、ヨレに強い適度な強度を有する剛性のある材質であれば、適宜選択して使用することが可能である。
【図面の簡単な説明】
【００３１】
【図１】本発明に係る靴の断面図
【図２】グッドイヤー・ウェルト製法による靴の断面図
【図３】バレーシューズの断面図
【図４】中底を挿入した本底の斜視図
【符号の説明】
【００３２】
１、１００、２００    靴
１０、１１０、２１０    本底
１１    踵部
２０、１２０    中物
３０、１３０、２３０    アッパー
３２    表革
３４    裏革
３６    折込部
４０    リブ
５０    嵌合凹部
６０、２６０    縫糸
７０、１７０、２７０    中敷
８０    中底
８２    芯
１４０    ウェルト
１６０    すくい縫い糸
１６２    出し縫い糸
【図１】
0006596259.tif 000002
【図２】
0006596259.tif 000003
【図３】
0006596259.tif 000004
【図４】
0006596259.tif 000005